(57)【要約】    【課題】集塵部に堆積した塵埃を掃除するブラシを収納する場所を掃除機本体にすると、サイクロン集塵部を取り外して溜まった塵埃を廃棄するときに、ブラシを一緒に持っていくことを忘れる場合があった。    【解決手段】濾過フィルターと遠心分離室の間に凹部を設け前記凹部にブラシ収納部を設けるとともに、前記ブラシ収納部は前記遠心分離室と一体で構成され、前記ブラシ収納部のブラシ収納方向は前記遠心分離室の中心軸方向と並列に備える構造にした。    【選択図】  図１
2007000384.tif 000002
【特許請求の範囲】
【請求項１】
掃除機本体に電動送風機とサイクロン集塵部を有する電気掃除機において、
前記サイクロン集塵部は、遠心分離室と、塵埃収納室と、塵埃の濾過フィルターを設けるとともに前記濾過フィルターと前記遠心分離室の間の外方に凹部を設け、
前記凹部にブラシ収納部を設けるとともに、前記ブラシ収納部は前記遠心分離室と一体で構成され、
前記ブラシ収納部のブラシ収納方向は前記遠心分離室の中心軸方向と並列に備えたことを特徴とする電気掃除機。
【発明の詳細な説明】
【技術分野】
【０００１】
本発明は、電気掃除機に関するものである。
【背景技術】
【０００２】
以下、図７を使って説明する。
従来の電気掃除機は、集塵部に溜まった塵埃を除塵する手段としてブラシ７０１を備えていたが、ブラシ７０１を収納する位置を掃除機本体７０２としていた。
また、ブラシ７０１をサイクロン集塵部７０３に収納（図示せず）する場合でもサイクロン集塵部７０３の底面に収納部を設けるなどしていた。
【発明の開示】
【発明が解決しようとする課題】
【０００３】
しかしながら、上記に記載の技術において、掃除機本体７０２からサイクロン集塵部７０３を取り外して溜まった塵埃を廃棄するときに、ブラシ７０１が掃除機本体７０２に収納されており、一緒に持っていくことを忘れる場合があった。また、ブラシ７０１をサイクロン集塵部７０３に収納する場合でもサイクロン集塵部７０３の底面に収納部を設けるなど使用者がどこに収納されているのか明確に判断できない問題があった。また、サイクロン集塵部７０３の周囲にブラシ７０１を設けた場合、ブラシ収納スペースによってサイクロン集塵部７０３が大きくなる問題があった。
【０００４】
本発明の目的は上記課題を解決し、ブラシがどこに収納されているのか使用者が明確に判断できるとともに、サイクロン集塵部を取り外して塵埃を廃棄するときにブラシを忘れることがなく、サイクロン集塵部を大きくすることが無い電気掃除機を提供することにある。
【課題を解決するための手段】
【０００５】
上記の目的を達成するために本発明の特徴とするところは、掃除機本体に電動送風機とサイクロン集塵部を有する電気掃除機において、前記サイクロン集塵部は、遠心分離室と、塵埃収納室と、塵埃の濾過フィルターを設けるとともに前記濾過フィルターと前記遠心分離室の間の外方に凹部を設け、前記凹部にブラシ収納部を設けるとともに、前記ブラシ収納部は前記遠心分離室と一体で構成され、
前記ブラシ収納部のブラシ収納方向は前記遠心分離室の中心軸方向と並列に備えたことにある。
【発明の効果】
【０００６】
本発明によれば、掃除機本体に電動送風機とサイクロン集塵部を有する電気掃除機において、前記サイクロン集塵部は１つの遠心分離室と少なくとも１つの塵埃収納室と塵埃の濾過フィルターを設けるとともに前記濾過フィルターと前記遠心分離室の間に凹部を設け前記凹部にブラシ収納部を設けるとともに、前記ブラシ収納部は前記遠心分離室と一体で構成され、前記ブラシ収納部のブラシ収納方向は前記遠心分離室の中心軸方向と並列に備えたので、ブラシがどこに収納されているのか使用者が明確に判断できるとともに、サイクロン集塵部を取り外して塵埃を廃棄するときにブラシを忘れることがなく、サイクロン集塵部を大きくすることが無く金型構造上も金型が折れやすい問題が解消可能なサイクロン式電気掃除機を提供することができる。
【発明を実施するための最良の形態】
【０００７】
以下、本発明に係る一実施例を添付の図面に基づいて説明する。
【実施例１】
【０００８】
以下、本発明に係る一実施例を添付の図面に基づいて説明する。図２は本発明に係る一実施例に係る電気掃除機の全体外観図である。吸口２０１から吸引された塵埃は延長管２０２、ホース２０３を通り掃除機本体２０４に集塵される。
【０００９】
図３は本発明に係る一実施例に係る掃除機本体の外観図である。集塵室３０１の内部にはサイクロン集塵部３０２を設けており、サイクロン集塵部３０２の上部には、集塵室を開閉する蓋体３０３を設けている。掃除機を運転するとサイクロン集塵部３０２に塵埃が集塵され、このとき塵埃により濾過フィルターが徐々に目詰まりを起こして、吸込力が低下していく。
【００１０】
図１は本発明に係る一実施例に係るサイクロン集塵部の外観図である。
上記、濾過フィルターが目詰まりを起こして、低下した吸込力を回復させるためサイクロン集塵部３０２の下流側に設けた濾過フィルター１０１を開けて塵埃を廃棄する。このとき比較的大きな塵埃は自重で落下するため廃棄が比較的容易であるが、微細な塵埃は濾過フィルター１０１の表面に堆積している。この塵埃を廃棄するため、ブラシ１０３を用いて濾過フィルター１０１を掃除することができる。ブラシ１０３は、濾過フィルター１０１と遠心分離室４０１の間にある凹部１０２に収納している。
【００１１】
図４は本発明に係る一実施例に係るサイクロン集塵部の外観図である。サイクロン集塵部３０２の構成は次の通りである。遠心分離室４０１に吸引した塵埃は遠心力によって旋回し、遠心分離室４０１を約１回転して塵埃収納室４０２に流入する。一方、遠心力によって塵埃と分離された空気は遠心分離室４０１で旋回した後、遠心分離室４０１側から濾過フィルター１０１を通り抜ける構造になっている。この構成では、遠心分離室４０１は略円筒となっており、濾過フィルター１０１との間に無駄な空間４０３ができる。この無駄な空間４０３にブラシ収納部４０４を設けたことによって、無駄な空間４０３を有効活用することができサイクロン集塵部３０２を大きくすることなくブラシ１０３をサイクロン集塵部３０２に収納することができる。
【００１２】
図５は本発明に係る一実施例に係るサイクロン集塵部の断面図である。濾過フィルター１０１と遠心分離室４０１に挟まれた無駄な空間４０３にブラシ収納部を設けていない構造では、先端が細い空間５０１ができてしまい、微細な塵埃がこの空間に流入した場合、掃除することが困難であった。また、金型構造上も先端が細い構造となり、金型が折れやすく問題がある。
【００１３】
図６は本発明に係る一実施例に係るサイクロン集塵部の断面図である。一方、濾過フィルター１０１と遠心分離室４０１に挟まれた無駄な空間４０３にブラシ収納部を設けた構造では、先端６０１が細くなくなり、微細な塵埃がこの空間に流入しても、掃除することが容易となる。また、金型構造上も先端が比較的太くなり、金型が折れやすい問題は解消できる。また、ブラシ収納部４０４は遠心分離室４０１の外壁と一体に設けており、部品点数を少なくしている。更に遠心分離室４０１の中心軸方向（図６の奥行き方向）に対してブラシの収納方向を並列にしており、濾過フィルター１０１と遠心分離室４０１に挟まれた無駄な空間４０３を有効活用し、サイクロン集塵部３０２の全体的な外形を大きくすることなく、ブラシ１０３を見やすい場所に収納している。
【図面の簡単な説明】
【００１４】
【図１】本発明に係る一実施例に係るサイクロン集塵部の外観図である。
【図２】本発明に係る一実施例に係る電気掃除機の本体外観図である。
【図３】本発明に係る一実施例に係る電気掃除機の外観図である。
【図４】本発明に係る一実施例に係るサイクロン集塵部の外観図である。
【図５】本発明に係る一実施例に係るサイクロン集塵部の断面図である。
【図６】本発明に係る一実施例に係るサイクロン集塵部の断面図である。
【図７】従来の電気掃除機の本体内部の外観図である。
【符号の説明】
【００１５】
１０１…濾過フィルター、１０２…凹部、１０３…ブラシ、２０１…吸口、２０２…延長管、２０３…ホース、２０４…掃除機本体、３０１…集塵室、３０２…サイクロン集塵部、３０３…蓋、４０１…遠心分離室、４０２…塵埃収納室、４０３…無駄な空間、４０４…ブラシ収納部、５０１…先端が細い空間、６０１…先端、７０１…ブラシ、７０２…掃除機本体、７０３…サイクロン集塵部。
【図１】
2007000384.tif 000003
【図２】
2007000384.tif 000004
【図３】
2007000384.tif 000005
【図４】
2007000384.tif 000006
【図５】
2007000384.tif 000007
【図６】
2007000384.tif 000008
【図７】
2007000384.tif 000009